(57)【要約】【課題】  予め釣針及びハリスの仕掛けを作り台紙に取り付けたものであって、店頭に並べた際、その見栄えが頗るよいように工夫し、かつ掛かる仕掛けを取り付けた収容具は、その搬送や店頭に並べられ顧客がその品定めなどで比較的乱暴に扱っても、台紙から外れたり、型崩れしたりする虞がないよう工夫すること。【解決手段】  比較的厚い紙，樹脂その他の板状材料からなる円盤状の台紙を隣り合わせに複数並べ、各台紙表面の外方向周囲に外端が開放された多数の爪片を放射状に設け、ハリスおよび必要なら釣針等を上記各爪片の外側から係合させて巻取るようにしてなる。【選択図】図１
0003125919.tif 000002
【実用新案登録請求の範囲】
【請求項１】
比較的厚い紙，樹脂その他の板状材料からなる円盤状の台紙を隣り合わせに複数並べ、各台紙表面の外方向周囲に外端が開放された多数の爪片を放射状に設け、ハリスおよび必要なら釣針等を上記各爪片の外側から係合させて巻取るようにしたことを特徴とする釣針とハリスの収納具
【請求項２】
比較的厚い紙，樹脂その他の板状材料からなる円盤状の台紙を隣り合わせに複数並べ、各台紙表面の外方向周囲に外端が開放された多数の爪片を放射状に設けた、釣針とハリスの収納具１乃至数枚を格納する収容筐本体内にあって、該収容筐本体の内側壁からその中心軸方向に突出する係合突起に、上記台紙と隣り合わせの台紙間にできる凹所が係合して出来るようにしたことを特徴とする釣針とハリスの収納具
【考案の詳細な説明】
【技術分野】
【０００１】
本案は、魚を釣るに際して使用するハリスと針の収納具とそのケースに関する。
【背景技術】
【０００２】
所謂釣針の「仕掛け」は、大別して「ハリス」の一端に一本の針を取り付けた一本掛け，及びハリスに「エダス」と呼ばれる複数本の針が枝分れするように取り付けられたものに別けられ、そしてそれらの他方は道糸（モトス）に連結させる「サルカン」が設けられるなど、釣果を上げるべく多数の工夫がなされている。
【０００３】
そして、この「仕掛け」を、型崩れすることなく店頭に並べ、そして釣舟上など釣場に於ての取り出しの簡便さに工夫がなされた釣及びハリスの収容具は多数案出されている。
【０００４】
仮令えば、特許文献１（参照）に示すとおりである。しかし、上記釣及びハリスの取り出し易さを追及すれば、それだけ図４のように釣及びハリスが仮止めされている台紙から外れ易く、かつ針が絡んで仕掛けそのものが使用できなくなるくらい損傷し易い欠点があった。
【０００５】
また、このように作られた「仕掛け」を取付けた台紙は、これにより針及びハリスを外すと、最早元のように針及びハリスを収容することは、その元の形が崩れ不可能であって、仮令えば一定時間釣を楽しんだ後、次回のために掛かる仕掛けを残しておきたい場合や、アジ釣りのように多数の針がある仕掛け（サビキ釣）から真鯛釣りのため一本掛けに変えるなど、掛かるサビキをこの使用済の台紙に巻き込んだとすれば、それは却って仕掛けが再度使用に耐えない程絡んで仕舞うことになる。
【特許文献１】実開平０６−０３１４６９公報
【考案の開示】
【考案が解決しようとする課題】
【０００６】
本考案は、さらに上記考案を改良するもので、予め釣針及びハリスの仕掛けを作り台紙に取り付けたものであって、店頭に並べた際、その見栄えが頗るよいように工夫なされたものである。
【０００７】
そして、掛かる仕掛けを取り付けた収容具は、その搬送や店頭に並べられ顧客がその品定めなどで比較的乱暴に扱っても、台紙から外れたり、型崩れしたりする虞がないよう工夫したものである。
【０００８】
また、掛かる仕掛けを取出し、これを使用し、再び掛かる仕掛けを台紙に収納でき、その収納が簡単でしかも確実にみだりに外れ絡む虞れを未然に防止できるようにしたことである。
【０００９】
また、掛かる針とハリスの収納具は通常「アジ仕掛け」とか「真鯛仕掛け」とか、さらには「アオリイカ仕掛け」とか、各種の仕掛け収納具を複数枚用意しておかなくてはならないが、本案は、これら数枚の収容具を一度に重ね合わせて、しかもそれらは崩れることなく、従って各仕掛けが壊されることなく、整然と保管できるケースも提供することにある。
【課題を解決するための手段】
【００１０】
而して本考案の主な特徴は、比較的厚い紙，樹脂その他の板状材料からなる円盤状の台紙を隣り合わせに複数並べ、各台紙表面の外方向周囲に外端が開放された多数の爪片を放射状に設け、ハリスおよび必要なら釣針等を上記各爪片の外側から係合させて巻取るようにしたことにある。
【００１１】
また、比較的厚い紙，樹脂その他の板状材料からなる円盤状の台紙を隣り合わせに複数並べ、各台紙表面の外方向周囲に外端が開放された多数の爪片を放射状に設けた、釣針とハリスの収納具１乃至数枚を格納する収容筐本体のケース内にあって、該収容筐本体の内側壁からその中心軸方向に突出する係合突起に、上記台紙と隣り合わせの台紙間にできる凹所が係合して出来るようにしたことにある。
【考案の効果】
【００１２】
総じて本考案の効果は、上記のように円盤状の台紙を隣り合わせに複数並べ、それぞれの円盤に無限大の記号あるいは瓢箪のような形状に仕掛け、特にハリス、を捲装するものであるから、単に丸形状にハリスを捲装させるものと異なり、ハリス台紙から取り出すとき絡ませない効果を発揮することができるのである。
【００１３】
また、この収納具に釣針及びハリスを掛けるには、先ず釣針を適当な爪片に掛け、また多数の針付きハリスの場合は爪片に掛かる釣針を掛けつつ台紙を廻し、ハリスを各爪片の外側から爪片内に導き、最後は所謂「サルカン」がある場合は適宜の爪片に掛止することによって完了する。
【００１４】
従って、これを繰り出すには、先ず、仮令えば「カゴ」釣りの場合、掛かる「カゴ」に先ず「サルカン」を取り付け、その後は台紙を回転させつつハリスを繰り出せば、ハリスが絡むような虞れは皆無となるのである。
【００１５】
なお、この収容具に複数枚を保管する場合は、予め収容筐本体を用意する。掛かる収容筐は、通常開閉蓋があり、該開閉蓋と収容筐本体とを掛け止めするための錠部材が設けられるため、収容筐本体内には上記のようにその内方向に突出する係合突起が設けられる。
【００１６】
しかるに、本案台紙は、複数の円盤状台紙からなり、この台紙と台紙の間に凹所ができ、この凹所に上記係合突起を係合させるから、搬送などによる激しい揺れでも、台紙がケース内で振動することがなく、収納したハリスが外れたり型崩れする虞がないのである。
【００１７】
さらに、２枚の円盤状台紙を繋ぎ併せた収納具の場合は、相方対称的な位置に凹所が構成されることになり、この場合仮令えば釣針を掛け止めした側を上下方向に重ね合わせると収納具全体が傾斜した状態となって安定に欠けるので、釣針を掛け止めした方が交互になるように重ね合わせることが肝要である。
【考案を実施するための最良の形態】
【００１８】
図で（１）（１）は比較的厚い紙，樹脂その他の板状材料からなる円盤状の台紙で、該台紙（１）（１）を隣り合わせで繋ぎ併せ平面からみて、恰も無限大の記号乃至は瓢箪のような形状となし、この結果それぞれの台紙の間（３）には、左右一対の凹所（５）が形成されるようになっている。
【００１９】
次いでこの台紙（１）（１）の表面外方向放射状に、その内端側を残して多数のコ字状の切り込みを入れ、かつ外端を立ち上げて外端部が開放（４）された爪片（２）（２）…を起立させる。
【００２０】
なお必要なら台紙（１）（１）の中心方向にも同様の爪片（２）（２）…を起立させると良いが、この場合、この爪片の開放（４）部は内方向に開かれていることが肝要である。
【００２１】
即ち、この台紙（１）（１）からなる収納具本体を用いるには、先ずハリス（Ａ）の釣針（Ｂ）を掛かる爪片（２）の１つに掛け止めし、以下収納具本体を廻し乍らハリス（Ａ）を爪片（２）の開放（４）部から爪片に導き、ハリス（Ａ）を（必要ならクッションゴム（Ｃ）も）捲装し、サルカン（Ｄ）を適宜の爪片（２）に掛け止めする簡単な操作でよい。
【００２２】
また掛かるハリス（Ａ）を収納具本体から取り外すには、先ずサルカン（Ｄ）を「カゴ釣り」の場合は、カゴに連結する。次いで収納具本体を回転させると、ハリス（Ａ）が順次繰り出され収納具本体から簡単に取り外すことが出来るのである。
【００２３】
この場合、本案は従来のもののように、単なる円形の台紙から取り外した場合、図４に示すようにハリス丸形の癖がつき、これが釣り糸に絡んで使用出来なくなる欠点が除去されたのである。
【００２４】
即ち、本案は台紙（１）と台紙（１）との連結部に間（３）があり、この部分に位置するハリス（Ａ）は、これを外した時外方向に拡がろうとする力が働き、全体的に短形状となっていることもあって、仮令ハリス（Ａ）が重なり合っても絡み難い癖がつかない形状となっているのである。
【００２５】
また、掛かる収納具本体は、これに取り付けられるハリス（Ａ）が仮令えば「アジの仕掛け」や「真鯛の仕掛け」など複数種の仕掛けを収納する場合が多い。
【００２６】
而して掛かる場合は、図２に示すような収納筐本体（Ｅ）が用いられる。図はその一例であるが、開閉蓋を有する前記収納具本体と、略同等の大きさの短形状をなし、その内側壁（Ｆ）には公知手段の開閉蓋と、収容筐本体（Ｅ）とを連結する錠の入った係合突起（Ｇ）がある。
【００２７】
而して上記収納具本体を構成する台紙（１）に間にある凹所（５）をこの係合突起（Ｇ）に嵌合させ積み重ねれば、各種の仕掛けを収納した収納具本体の複数枚を一度に収納でき、かつ上記突起（Ｇ）と凹所（５）の係合によって収納筐本体（Ｅ）が振動してもハリス（Ａ）が収納具本体より容易に外れ、仕掛けが壊れるような虞れを未然に防止出来たのである。
【図面の簡単な説明】
【００２８】
【図１】ハリスを取り付けた収納具本体の平面図
【図２】収納筐本体に収納具本体を収容した状態の斜視図
【図３】ハリスが無い状態の収納具本体の平面図
【図４】従来の収納具本体から外したときのハリスの説明図
【図５】図２のＶ〜Ｖ線拡大図
【符号の説明】
【００２９】
Ａ  ハリス
Ｂ  釣針
Ｃ  クッションゴム
Ｄ  サルカン
Ｅ  収納筐本体
Ｆ  内側壁
Ｇ  係合突起
１  台紙
２  爪片
３  間
４  開放
５  凹所
【図１】
0003125919.tif 000003
【図２】
0003125919.tif 000004
【図３】
0003125919.tif 000005
【図４】
0003125919.tif 000006
【図５】
0003125919.tif 000007